(57)【要約】【課題】小型化が可能な給水装置を提供すること。【解決手段】２台並列に設けられたポンプ装置１０のポンプ１１の吐出側のそれぞれの流路を合流させるとともに、この合流部に三方弁１５を設け、ポンプ１１及び三方弁１５の間の吐出配管２０上に逆止弁１３を設ける。  また、三方弁１５を、この三方弁１５及びポンプ１１の吐出側とに設けられた流路の一方を、閉鎖可能に形成する。【選択図】      図１
2008261276.tif 000002
【特許請求の範囲】
【請求項１】
吐出管がそれぞれ接続された一対のポンプと、
上記一対のポンプの吐出管によりそれぞれ形成された流路を三方弁を用いて一の流路とする合流部と、
上記吐出管にそれぞれ設けられた逆止弁とを備え、
上記三方弁は、上記吐出管によりそれぞれ形成された流路の一方を閉としたときに、他方を開に開閉可能に形成されたことを特徴とする給水装置。
【請求項２】
水を供給する供給管と、
上記一対のポンプにそれぞれ設けられた吸込管と、
上記供給管により形成された流路を上記吸込管によりそれぞれ形成された流路に分流する分流部と、
上記吸込管によりそれぞれ形成された流路の一方を閉としたときに、他方を開に開閉可能に形成された開閉弁と、をさらに具備することを特徴とする請求項１に記載の給水装置。
【発明の詳細な説明】
【技術分野】
【０００１】
本発明は、複数のポンプを用いた給水装置に関し、特に小型化できる技術に関する。
【背景技術】
【０００２】
従来、ビルやマンション等の建造物へ水を供給する手段として、ポンプを用いて水を増圧させ、この圧力で建造物へ水を供給する給水装置が知られている。このような給水装置の一例を図４に示す。給水装置１０１は、並列に２台設けられたポンプ装置１１０と、このポンプ装置１１０に接続された制御装置１３０とを有している。
【０００３】
ポンプ装置１１０は、ポンプ１１１と、このポンプ１１１を制御装置１３０により制御駆動させるモータ１１２と、ポンプ１１１の吐出側に設けられ、ポンプ１１１への逆流を防止する逆止弁１１３とを備えている。また、並列に固定されたポンプ装置１１０から吐出される水の流路は、逆止弁１１３の下流で流路が合流するとともに、合流した流路の先には例えば供給口（蛇口等）へ給水する給水管１１８が接続されている。また、ポンプ１１１の吸込側には、その上流側の受水槽や水道の配管等へと通じる吸込配管１１９が、吐出口に吐出配管１２０がそれぞれ接続されている。この吐出配管１２０は、並列に設けられた他方のポンプ１１１の吐出配管１２０と合流し、給水管１１８へと接続されている。なお、ポンプ１１１の吐出口から吐出配管１２０の合流部までの間には、ポンプ１１１への逆流を防止する逆止弁１１３と、吐出配管１２０の水の流入を止める仕切弁１４０がそれぞれ設けられている。
【０００４】
このようなポンプ装置１１０を用いることで、制御装置１３０によりモータ１１２を作動させると、モータ１１２の回転により、ポンプ１１１が回転駆動する。ポンプ１１１が駆動することにより、吸込配管１１９を介してポンプ１１１へと水が流入する。ポンプ１１１に流入した水は、ポンプ１１１の回転により増圧されるとともに、吐出口から吐出配管１２０を介して吐出される。この増圧された水は、逆止弁１１３及び仕切弁１４０を介して合流部で他方のポンプ１１１からの吐出された水と合流し、下流の供給口へと供給される。
【０００５】
また、このような給水装置１０１では、例えば定期点検や故障時等に、２台設けられたポンプ装置１１０の一方の運転を停止させ、この停止させたポンプ装置１１０の点検及び修理を行うことがある。このような場合には、故障したポンプ装置１１０側に設けられた仕切弁１４０を閉鎖させることで、他方のポンプ装置１１０を運転しても、故障したポンプ装置１１０へ水は流入しない。このため、一方のポンプ装置１１０及び逆止弁１１３の点検及び修理を行ったとしても断水させることなく、他方のポンプ装置１１０で下流への給水が可能となる。
【０００６】
このような給水装置１０１の上流側に受水槽が設けられている場合には、受水槽で一旦溜められた水の水圧は略０Ｐａとなる。このため、特にポンプ１１１の上流に仕切弁等を設ける必要がない。しかし、給水装置１０１の上流側に水道本管の分岐管を接続する場合、水道本管では、常時一定以上の水圧で水が流れている。このため、給水装置１０１と水道配管との間に水の流れを塞き止める仕切弁をポンプ１１１の上流に設ける。この仕切弁を閉鎖することで、一方のポンプ装置１１０を運転させるとともに、他方のポンプ装置１１０へと水が流入することを防止する。このような構成とすることで、いずれか一方のポンプ装置１１０を停止させることが可能となる。
【０００７】
また、このような給水装置１０１において、給水装置１０１と水道配管との間に設ける弁を仕切弁ではなく三方弁を設けた給水装置も知られている（例えば特許文献１参照）。
【特許文献１】特開２００４−９２４３５号公報
【発明の開示】
【発明が解決しようとする課題】
【０００８】
上述した給水装置では、次のような問題があった。すなわち、２台並列にポンプ装置を設けた給水装置では、ポンプの吐出側に逆止弁及び仕切弁をそれぞれ設ける必要があった。このため、互いのポンプ装置の間隔を広く取らないと、逆止弁及び仕切弁が配置できない。例えば、ポンプ装置の間隔を狭くするとともに、吐出配管の取り回しによって逆止弁及び仕切弁を配置させた場合、配管の曲げ部が多くなり、圧力損失が大きくなる。また、配管の取り回しにより、製造コストが増大するとともに、製造時の精度も必要となる。
【０００９】
また、給水装置と水道配管との間に仕切弁の変わりに三方弁を設けると、給水装置と水道配管との接続に制約が発生し、給水装置の配置の自由度を低減させることもあった。
【００１０】
そこで本発明は、給水装置の配置の自由度を低減させることなく、小型化が可能な給水装置を提供することを目的としている。
【課題を解決するための手段】
【００１１】
前記課題を解決し目的を達成するために、本発明の給水装置は次のように構成されている。
【００１２】
吐出管がそれぞれ接続された一対のポンプと、上記一対のポンプの吐出管によりそれぞれ形成された流路を三方弁を用いて一の流路とする合流部と、上記吐出管にそれぞれ設けられた逆止弁とを備え、上記三方弁は、上記吐出管によりそれぞれ形成された流路の一方を閉としたときに、他方を開に開閉可能に形成されたことを特徴とする。
【発明の効果】
【００１３】
本発明によれば、給水装置の配置の自由度を低減させることなく、小型化が可能な給水装置を提供することが可能となる。
【発明を実施するための最良の形態】
【００１４】
図１は本発明の一実施の形態に係る給水装置１の構成を示す上面図、図２は同給水装置１の要部構成を模式的に示す説明図である。なお、図１及び図２中矢印Ｆは水の流れ方向、Ｌはポンプ１１の軸心線、Ｓは信号線を示している。
【００１５】
図１及び図２に示すように、給水装置１は、ベース２と、このベース２上に例えばそれぞれの軸心線Ｌの方向に対して２台が並行に固定されたポンプ装置１０と、これらポンプ装置１０に接続された制御装置３０とを備えている。なお、給水装置１は、ポンプ装置１０の上流の水圧がポンプ装置１０運転停止時に略０Ｐａの場合、例えば受水槽を介して給水する受水槽方式に用いられる。
【００１６】
ポンプ装置１０は、ポンプ１１と、このポンプ１１を制御装置３０により制御駆動させるモータ１２と、ポンプ１１の吐出側に設けられ、ポンプ１１への逆流を防止する逆止弁１３と、ポンプ１１及び逆止弁１３の間に設けられた流量計１４とを備えている。また、それぞれのポンプ装置１０から吐出される水の流路は、逆止弁１３の下流で流路が合流するとともに、この合流部には、三方弁１５と、アキュムレータ１６と、圧力計１７とが設けられている。なお、合流した流路の先（下流）には例えば供給口（蛇口等）へ給水する給水管１８が接続されている。
【００１７】
ポンプ装置１０は、それぞれ、ベース２にボルト等の固定部材を介して取り付けられている。また、ポンプ１１は例えば遠心ポンプが用いられ、ポンプ１１の吸込側には、ポンプ１１の上流側に設けられた受水槽に接続された吸込配管１９が、ポンプ１１の吐出側には吐出配管２０がそれぞれ設けられている。モータ１２には、例えばＤＣモータがそれぞれ用いられており、ポンプ１１及びモータ１２は、動力機構を介して一体に設けられている。
【００１８】
アキュムレータ１６は、例えばバネ式アキュムレータが用いられ、合流部に設けることで、脈動等を低減させるとともに、蓄圧可能に形成されている。また、アキュムレータ１６は、各ポンプ１１の軸心線Ｌの間（ポンプ装置１０間）であって、ポンプ１１の軸心線Ｌに垂直に延設されている。なお、アキュムレータ１６の延設方向は、ポンプ１１の軸心線Ｌに対して垂直でなくともよい。
【００１９】
流量計１４及び圧力計１７は、信号線Ｓを介して制御装置３０に接続されることで、検知データを制御装置３０へ送信可能に形成されている。
【００２０】
三方弁１５は、三方弁１５の外部に設けられた操作部を有しており、各ポンプ装置１０からの流路を合流させ、この合流した流路を給水管１８に接続可能に形成されている。また、三方弁１５の内部には、例えば球体（ボール）が設けられており、操作部を操作することで球体を移動させ、各ポンプ装置１０から三方弁１５への流路のどちらか一方を閉鎖可能に形成されている。
【００２１】
各吐出配管２０は、ポンプ１１の軸心線Ｌの方向に対して垂直となるようポンプ１１の吐出側に設けられており、さらに、一定位置において、略垂直、かつ、他方のポンプ１１方向に曲折されている。この吐出配管２０の曲折部から下流側に、逆止弁１３が設けられ、さらに三方弁１５が設けられることで、各ポンプ１１からの流路が合流する。
【００２２】
制御装置３０には、マイクロプロセッサ等で構成された制御部３１と、この制御部３１に例えばバスラインＢで接続され、モータ１２を制御するインバータ装置３２と、ポンプ装置１０の状況や回転数等を表示する表示部３３とを備えている。
【００２３】
制御部３１には、外部からの指示又は操作によりインバータ装置３２に、ポンプ装置１０の運転を停止する指示をする外部操作手段（不図示）が形成されている。
【００２４】
また制御部３１は、流量計１４及び圧力計１５でそれぞれ検知された情報を基にインバータ装置３２によりモータ１２の回転を変更可能に形成されている。
【００２５】
このように構成された給水装置１では、基本動作として、まず給水装置１の電源をＯＮとすることで、制御部３１はインバータ装置３２にポンプ装置１０の運転を指示する。この指示により、インバータ装置３２は、それぞれのモータ１２に電流を印加し、モータ１２を回転させる。このモータ１２の回転は、動力機構を介してそれぞれのポンプ１１に伝達され、ポンプ１１が駆動する。この駆動により、図１及び図２の水の流れ方向Ｆに示すように、ポンプ１１は受水槽から吸込配管１９を介して水を吸込む。
【００２６】
ポンプ１１に吸込まれた水は、ポンプ１１により増圧されるとともに、吐出側に設けられた吐出配管２０を介して逆止弁１３を通過する。それぞれのポンプ装置１０から吐出され、逆止弁１３を通過した水は、三方弁１５を介して合流するとともに、給水管１８を介して、蛇口等へ水を供給する。このとき、流量計１４及び圧力計１７により流量及び圧力がそれぞれ検知されるとともに、この検知情報は、信号線Ｓを介して制御部３１へ送信される。制御部３１は、この検知情報を基に、インバータ装置３２にモータ１２の回転数の指示をすることで、ポンプ１１の吐出量を調整する。
【００２７】
次に夜間等の必要水量が少ない場合の消費電力等を減少させる省エネルギ運転について説明する。制御部３１は、例えば一方のポンプ装置１０を作動させるとともに、インバータ装置３２に他方のポンプ装置１０を停止させる指示をする。この指示により、インバータ装置３２は、どちらか一方のポンプ装置１０を運転させる。このように、一方のポンプ装置１０により供給口へ水を供給する。
【００２８】
制御部３１は、このような片側一方運転を指示するとともに、流量計１４及び圧力計１７により流量及び圧力を常時検知する。この検知情報に圧力低下等が見られた場合には、制御部３１は供給口にて水の使用量が増加したと判断する。このため、制御部３１は、他方（停止させていた側）のポンプ装置１０のモータ１２を回転させるよう、インバータ装置３２に指示する。この指示により、インバータ装置３２は、他方のポンプ装置１０を運転させる。
【００２９】
それぞれのポンプ装置１０を運転させることで、水の供給量を増加させるとともに、制御部３１は、検知情報から使用量を判断する。再度、水の使用量が減少したと制御部３１で判断された場合には、再度他方のモータ１２の運転停止をインバータ装置３２に指示し、一方のポンプ装置１０のみ運転させる。省エネルギ運転においては、給水装置１のこのような運転を繰り返し行うことで、必要な水量を供給する。なお、給水装置１の通常運転及び省エネルギ運転のいずれにおいても、三方弁１５は、それぞれのポンプ装置１０から流路が形成される位置としておく。
【００３０】
次に、給水装置１に設けられたポンプ装置１０の定期点検時や故障時等のメンテナンスを行う際の給水装置１の動作を説明する。  
給水装置１を作動中に、定期点検や、故障等が発生した場合には、給水装置１の電源を落とすことで点検及び修理（以下修理として説明を行う）が可能となる。しかし、その間ビルに水が供給されずに断水状態となる。この断水状態を回避するために点検及び修理時であっても、給水装置１は作動させておく。
【００３１】
修理者は、制御部３１に設けたポンプ装置１０の停止手段を用いて、故障している一方のポンプ装置１０を停止するとともに、三方弁１５のハンドルを操作することで、三方弁１５内の流路を球体により閉鎖する。これらの操作により修理者は、故障している側のポンプ装置１０及び三方弁１５間の流路を閉鎖させる。これにより、三方弁１５から故障したポンプ装置１０側への水の流入を防止する。これは、ポンプ１１の修理の場合であれば、三方弁１５を操作しなくとも、逆止弁１３により故障したポンプ１１へ水が逆流することはない。しかし、逆止弁１３は、経年劣化や、コンタミ等が原因で、漏れや故障等が発生する場合もある。この場合に、故障側の三方弁１５の流路を開放していると、水が逆流し、漏洩する虞がある。
【００３２】
次に修理者は、ポンプ１１内の水抜きを行い、対応する故障箇所を修理する。修理後、三方弁１５を再度操作する（元の位置に戻す）ことで、修理したポンプ装置１０と三方弁１５との流路は開放される。
【００３３】
このような構成とすることで、三方弁１５により、一方のポンプ装置１０を運転させたとしても、他方のポンプ装置１０へ水を流入させないようにすることが可能となる。また、逆止弁１３をポンプ装置１０及び三方弁１５の間の流路に設けることで、ポンプ１１への逆流を防止することが可能となる。
【００３４】
また、２台のポンプ装置１０を並列に設ける給水装置１の場合、そのいずれのポンプ１１及び三方弁１５との間の流路にも逆止弁１３を逆流防止のために設ける必要がある。しかし、逆止弁１３をそれぞれに設けると、２つの逆止弁１３を配置させるスペースが必要となる。このため、三方弁１５を流路の合流点に設けることで、それぞれの流路にこれら流路を開閉する弁をそれぞれ設けた場合より、弁の設置容積を小さくすることが可能となる。また、これらポンプ装置１０の間に発生する空間にアキュムレータ１６を設けることで、アキュムレータ１６の配置に必要な容積も低減させることができる。これらのことにより、２台の並列に設けたポンプ装置１０を設ける場合に、ポンプ装置１０同士の間隔を狭く（縮める）ことが可能となり、給水装置１を小型化とすることができる。
【００３５】
また、球体を有する三方弁１５は、仕切弁１４０を２つ設けるよりも安価であって、さらに簡単な構造となり、給水装置１の製造コスト及び弁の故障時の修理コストの低減とすることが可能となる。
【００３６】
上述したように、本実施の形態に係る給水装置１によれば、ポンプ１１の吐出側合流部に、三方弁１５を用いることで、給水装置１を小型化とすることができるとともに、給水装置１の製造コストを低減させることが可能となる。
【００３７】
図３は上述した実施の形態の変形例に係る給水装置１Ａを模式的に示す説明図である。図３中の図１及び図２と同一機能部分には同一符号を付し、その詳細な説明は省略する。なお、図３中のＥは水道本管を示す。
【００３８】
本変形例に係る給水装置１Ａは、主として水道本管に直結する増圧直結給水方式に用いられる。  
給水装置１Ａは、水道本管Ｅを流れる流路の一部を分岐させる分岐部に接続された分岐管２１と、この分岐管２１に設けられた逆流防止装置２２と、この逆流防止装置２２の下流に分流して設けられ、ポンプ１１の吸込側にそれぞれ接続された吸込配管１９と、この吸込配管１９上であって、逆流防止装置２２及びポンプ１１の間に開閉弁としてそれぞれ設けられた仕切弁２３と、分岐管２１上であって分岐部及び逆流防止装置２２の間に設けられた圧力検知装置２４とを備えている。
【００３９】
逆流防止装置２２は、例えば減圧式逆止弁が用いられ、逆流防止装置２２を通過した水が分岐管２１及び水道本管Ｅへ逆流することを確実に防止可能に形成されている。また、仕切弁２３は、仕切弁２３の内部に、例えば球体が設けられており、仕切弁２３の外部に設けられたハンドルを操作し、球体を移動させることで、各ポンプ装置１０への流路を開閉可能に形成されている。圧力検知装置２４は、信号線Ｓを介して制御部３１に接続されている。
【００４０】
このように構成された給水装置１Ａの基本動作を説明する。まず、水道本管Ｅ内を流れる水の一部が分岐部から分岐管２１へと分流される。なお、この水道本管Ｅ内を流れる水には、一定の水道水圧が加わっている。分岐管２１へ分流された水は、逆流防止装置２２を通過し、さらに分流されることでそれぞれの吸込配管１９へ流入する。なお、逆流防止装置２２を通過する水圧は、常時圧力検知装置２４で検知される。また、この検知情報は制御部３１へと信号線Ｓを介して送信される。吸込配管１９へ流入した水は、仕切弁２３を介してポンプ１１の吸込側からポンプ１１へと流入する。なお、水道本管Ｅを流れる一定水圧を有する水により、給水装置１Ａの運転如何に係らず、ポンプ１１まで自動的に流入することとなる。
【００４１】
次に、給水装置１Ａの電源をＯＮとすると、制御部３１はインバータ装置３２に指示を与えることでそれぞれのモータ１２を回転させる。以降、一実施の形態の給水装置１と同様の動作となる。なお、省エネルギ運転においても、給水装置１と同様の動作となる。
【００４２】
ただし、水道本管Ｅから直接水を流入させるため、常時圧力検知装置２４により圧力を検知し、制御部３１へと、検知情報が送られることとなる。圧力検知装置２４により検知した圧力が、所定圧力以下になった場合に、制御部３１は、それぞれのポンプ装置１０の運転を低回転運転、又は、停止させるようモータ１２に指示をする。これは、水道本管Ｅの水圧の低下を防止する運転である。
【００４３】
次に、給水装置１Ａに設けられたポンプ装置１０の定期点検時や故障時等のメンテナンスを行う際の給水装置１Ａの動作を説明する。  
給水装置１Ａを作動中に、定期点検や、故障等が発生した場合には、給水装置１Ａの電源を落とし、さらに水道本管Ｅから流入する水を塞き止めるためにそれぞれの仕切弁２３を閉鎖させる。これにより、点検及び修理（以下修理として説明を行う）が可能となる。しかし、その間ビル等に水が供給されずに断水状態となる。この断水状態を回避するため、点検及び修理時であっても、給水装置１Ａを作動させておく。
【００４４】
修理者は、制御部３１に設けた給水装置１Ａの停止手段を用いて、故障している側のポンプ装置１０を停止するとともに、故障側に設けられた仕切弁２３を閉鎖する。さらに、三方弁１５のハンドルを操作することで、故障している側のポンプ装置１０及び三方弁１５間の流路を閉鎖させる。これにより、水道本管Ｅから故障側のポンプ装置１０に水が流入ぜず、さらに、三方弁１５から故障したポンプ装置１０側へも水は流入しない。
【００４５】
次に修理者は、ポンプ１１内の水抜きを行い、対応する故障箇所を修理する。修理後、三方弁１５を操作し、両方の流路を開放とするとともに、閉鎖した仕切弁２３を開放することで、流路が開放され、ポンプ装置１０により、水が供給される。
【００４６】
このような構成とすることで、水道本管Ｅから直接流路を形成する直接増圧給水方式の給水装置１Ａにおいても、ポンプ１１の吐出側の合流点に三方弁１５を設けることで、弁の設置容積を小さくすることが可能となる。これにより、２台の並列に設けたポンプ装置１０を設ける場合に、ポンプ装置１０同士の間隔を狭くすることで、給水装置１Ａを小型化とすることが可能となる。
【００４７】
また、給水装置１Ａを小型化とすることで、給水装置１Ａの設置面積を小さくすることができる。給水装置１Ａは、例えば屋外の壁面や、階段下等の隅に設けることが多く、設置するスペースが大きいと、通路等の邪魔になる場合等がある。このため、給水装置１Ａの設置面積を小さくすることで、外観の向上、通路等に配置することによる事故の防止、及び、スペースの有効利用にもなる。
【００４８】
さらに、分流点及びポンプ１１の間に仕切弁２３をそれぞれ設けることで、吸込側の吸込配管１９の設置の自由度を向上させることが可能となる。これは、ポンプ１１の吸込側は、水道本管Ｅから給水装置１Ａの配管までの位置関係により配管の配置が決まることから、設置毎に水道本管Ｅから給水装置１Ａの配管の取り回しが異なる場合がある。このため、自由度の高い仕切弁２３を用いることで、給水装置１Ａと水道本管Ｅとの接続の際の配管接続を容易とすることが可能となる。
【００４９】
上述したように変形例に係る給水装置１Ａによれば、直接増圧給水方式の給水装置１Ａであっても、ポンプ１１の吐出側の合流部に三方弁１５を設けることで、給水装置１Ａを小型化とすることが可能となる。さらに、ポンプ１１の吸込側それぞれに仕切弁２３を設けることで、給水装置１Ａの配置、及び、水道本管Ｅとの接続を容易とし、給水装置１Ａの配置の自由度を向上させることが可能となる。
【００５０】
なお、本発明は前記実施の形態に限定されるものではない。例えば、上述したポンプ１１の吐出側の合流部に設ける三方弁１５は流路の開閉に球体を用いるとしたが、球体を用いなくともよい。また、変形例に用いた仕切弁２３も同様に流路の開閉に球体を用いるとしたが、球体を用いなくともよい。例えば、ニードル弁により流路を開閉してもよいし、切替弁により流路を開閉するようにしてもよい。
【００５１】
また、上述した変形例では、ポンプ装置１０のそれぞれの上流側に仕切弁２３を設けるとしたが、これら仕切弁２３の変わりに合流点において三方弁１５を設けるようにしてもよい。即ち、仕切弁２３と同様に、一方のポンプ装置１０への流路を閉鎖した場合に、他方のポンプ装置１０への流路は開放することができる開閉弁であればよい。このため、三方弁１５だけではなく、他の弁装置を設けてもよい。ただし、他の弁を用いる場合には、給水装置１Ａと水道本管Ｅとの配管の取り回しに適した弁であることとする。このような構成とすることで、例えば、三方弁１５を用いても、給水装置１Ａの配置が容易となるのであれば、仕切弁２３を２つ用いるよりも、製造コストの低減となり、さらに、給水装置１Ａを小型化とすることが可能となる。また、ベース２上にカバーを設けることで、給水装置１、１Ａに設けられたポンプ装置１０等を覆うように形成してもよい。これにより、構成品を外部環境等から保護することが可能となる。この他にも、上述した逆止弁１３、三方弁１５及び仕切弁２３の位置をポンプ１１の形状及び吐出配管２０の径等により、適宜変更してもよい。この他、本発明の要旨を逸脱しない範囲で種々変形実施可能である。
【図面の簡単な説明】
【００５２】
【図１】本発明の一実施の形態に係る給水装置の構成を示す上面図。
【図２】同給水装置の要部構成を模式的に示す説明図。
【図３】一実施の形態の変形例に係る給水装置の要部構成を模式的に示す説明図。
【図４】従来例の給水装置の構成を示す上面図。
【符号の説明】
【００５３】
１、１Ａ…給水装置、２…ベース、１０…ポンプ装置、１１…ポンプ、１２…モータ、１３…逆止弁、１４…流量計、１５…三方弁、１６…アキュムレータ、１７…圧力計、１８…給水管、１９…吸込配管、２０…吐出配管、３０…制御装置、３１…制御部、３２…インバータ装置、３３…表示部。
【図１】
2008261276.tif 000003
【図２】
2008261276.tif 000004
【図３】
2008261276.tif 000005
【図４】
2008261276.tif 000006